(57)【要約】【課題】  大型犬などを載置するのに十分な大きさを持ち、かつ、必要最小限度の広さの処置室に設置した場合においても獣医師等がスムーズに処置等を行うことができる動物用処置台を提供すること。【解決手段】  キャビネット２０の長手方向に対して第１簀の子５０と第２簀の子５３との長さを１２０ｃｍとし、キャビネット２０からはみだすように配置できるので、キャビネット２０の長さを１００ｃｍとしても、大型犬などに対する処置を行うことができる。また、第１簀の子５０を突出させると、係止材５２ａなど４つの係止材が係止部４２ａなど４つの係止部に係止され、この状態において第１簀の子５０の一部を第２簀の子５３が覆るので、２つの簀の子の間に間隙を生じることがない。また、縁材３３の上面を凹陥領域３１に向かって下り勾配としたので、縁材３３の上面も凹陥領域３１として作用する。【選択図】  図１
2013055894.tif 000002
【特許請求の範囲】
【請求項１】
キャビネットと、該キャビネットの上面側に開口するように設けられたシンクと、該シンクの開口部を囲む縁材に支持されて前記開口部の一部又は全部を覆うようになされた簀の子とを備えた動物用処置台において、
前記シンクは、前記開口部を囲む縁材のうち、少なくとも前記キャビネットの長手方向に沿った部分の上面が前記開口部に向かって下り勾配となるように形成され、
前記簀の子は、前記縁材の前記キャビネットの長手方向と直交する方向に沿った部分を越えて水平に突出するように配置可能になされていることを特徴とする動物用処置台。
【請求項２】
前記シンクは、前記縁材の外周面に設けられた係止部を備え、
前記簀の子は、前記シンクの前記キャビネットの長手方向と直交する方向に沿った前記縁材を越えて水平に突出しているときに、前記係止部に係止される係止材が設けられていることを特徴とする請求項１に記載の動物用処置台。
【請求項３】
前記簀の子の一部を覆うように、かつ、水平に配置されると共に、前記簀の子の上面を摺動可能に設けられた別の簀の子をさらに備えたことを特徴とする請求項１又は請求項２に記載の動物用処置台。
【請求項４】
前記別の簀の子は、前記簀の子の上面と接する上面板部と、前記簀の子の右側端部と接する右側端板部と、前記簀の子の左側端部と接する左側端板部とを備え、
前記簀の子は、前記別の簀の子の前記上面板部、前記右側端部及び前記左側端部に囲まれた空間内に挿入可能であることを特徴とする請求項３に記載の動物用処置台。
【請求項５】
前記簀の子及び前記別の簀の子は、これらの一方又は両方に、他方に係止可能なフックが設けられていることを特徴とする請求項３又は請求項４に記載の動物用処置台。
【請求項６】
前記簀の子と蝶番を介して互いに接続され、かつ、水平に配置された別の簀の子をさらに備えたことを特徴とする請求項１又は請求項２に記載の動物用処置台。
【請求項７】
前記キャビネットは、側面に設けられた側板を備え、
さらに、前記キャビネットの前記側板に固定された支柱と、
前記支柱に回転可能に支持された水平アームと、
前記水平アームに回転可能に支持された器具台とを備えていることを特徴とする請求項１から請求項６のいずれか一項に記載の動物用処置台。
【発明の詳細な説明】
【技術分野】
【０００１】
本発明は、動物用処置台に関し、特に獣医師が動物に対して洗浄などの処置を行うための動物用処置台に関する。
【背景技術】
【０００２】
動物用処置台は、動物病院において、犬や猫、フェレット、うさぎなどの動物に対して手術準備として体を洗浄したり、けがをした動物のよごれや血液を洗い流したり、緊急処置をするために利用するものである。この種の動物用処置台では、処置中又は処置前後における動物の取り扱いを容易にするために簀の子を載置してあるものが多い。
【０００３】
図１６は、従来技術に係る動物用処置台の一例を示す斜視図である。図１６において、７０は動物用処置台、７１はシンク、７２は縁材、７３はキャビネット、７４は第２簀の子、７５及び７６は第１簀の子である。なお、図１６に示した動物用処置台は、特開２００６−１９７８１５公報において開示されているものである。
【０００４】
動物用処置台７０は、シンク７１の枠状の縁材７２に動物載置用の第１簀の子７５及び７６を嵌め込むように配置しているものである。また、図１６には図示していないが、シンク７１の物品載置用の第２簀の子７４の下方となる部位に混合水栓を設置している。この構成によって、処置を行う動物を第１簀の子７５及び７６の上に横たわらせ、又は、立たせた状態で、体毛に付着した泥や汚物を混合水栓で洗い流したり、体毛を刈り取ったり、さらには体に薬品を塗布することが容易に行うことができる。また、第１簀の子７５及び７６を取り外した場合には、処置対象の大型の動物をシンク７１の内部に立たせた状態で処置することもできる。くわえて、第２簀の子７４をシンク７１の縁材７２に嵌め込むように配置しているので、洗剤や、はさみ、薬品などを第２簀の子７４に置くことが可能である。したがって、獣医師などの手元に近いところに洗剤や、はさみ、薬品などを置けるので、効率的に作業を行うことができる。また、シンク７１の縁材７２に配置する簀の子を第２簀の子７４と第１簀の子７５及び７６との３枚で構成することによって、１枚当たりの簀の子の重さを軽くして、簀の子の着脱を容易に行えるようにしている。
【０００５】
また、大型犬に対して処置を行うことを考慮する場合、キャビネット７３は長手方向について少なくとも１２０ｃｍの長さとする必要がある。さらに、長手方向と直交する方向については少なくとも５５ｃｍ、望ましくは６０ｃｍ程度の長さとが求められる。ところで、動物用処置台７０は、処置室の中央に設置する、又は、キャビネット７３の長手方向に直交する面が処置室の壁面に接するように配置する必要がある。これは、動物に対する処置を迅速に、かつ、確実に行うためには、第１簀の子７５及び７６の上に横たわった動物に対して少なくとも３方向からの観察や処置を行う必要があることによる。
【０００６】
しかし、日本の動物病院では、諸般の事情から処置室に対して必要最小限度の広さしか確保できない場合が多い。このような処置室では、ストレッチャーに載せた動物を動物用処置台に移し替えるときなどに、不自然な姿勢で移し替え作業を行わざるを得なくなって獣医師等の身体的負担が大きくなる、あるいは、キャビネットなどに脚や肘をぶつけてけがをするおそれがある。さらに、医療機器などを台車に載せて動物用処置台の横を通り抜けるときに、台車を動物用処置台にぶつけるおそれもある。
【先行技術文献】
【特許文献】
【０００７】
【特許文献１】特開２００６−１９７８１５公報
【発明の概要】
【発明が解決しようとする課題】
【０００８】
本発明は、上述の課題を解決するために、大型犬などを載置するのに十分な大きさを持ち、かつ、必要最小限度の広さの処置室に設置した場合においても獣医師等がスムーズに処置等を行うことができる動物用処置台を提供することを目的とする。
【課題を解決するための手段】
【０００９】
請求項１に記載の発明は、キャビネットと、該キャビネットの上面側に開口するように設けられたシンクと、該シンクの開口部を囲む縁材に支持されて前記開口部の一部又は全部を覆うようになされた簀の子とを備えた動物用処置台において、前記シンクは、前記開口部を囲む縁材のうち、少なくとも前記キャビネットの長手方向に沿った部分の上面が前記開口部に向かって下り勾配となるように形成され、前記簀の子は、前記縁材の前記キャビネットの長手方向と直交する方向に沿った部分を越えて水平に突出するように配置可能になされていることを特徴とする動物用処置台である。
【００１０】
請求項２に記載の発明は、請求項１に記載の発明において、前記シンクは、前記縁材の外周面に設けられた係止部を備え、前記簀の子は、前記シンクの前記キャビネットの長手方向と直交する方向に沿った前記縁材を越えて水平に突出しているときに、前記係止部に係止される係止材が設けられていることを特徴とする動物用処置台である。
【００１１】
請求項３に記載の発明は、請求項１又は請求項２に記載の発明において、前記簀の子の一部を覆うように、かつ、水平に配置されると共に、前記簀の子の上面を摺動可能に設けられた別の簀の子をさらに備えたことを特徴とする動物用処置台である。
【００１２】
請求項４に記載の発明は、請求項３に記載の発明において、前記別の簀の子は、前記簀の子の上面と接する上面板部と、前記簀の子の右側端部と接する右側端板部と、前記簀の子の左側端部と接する左側端板部とを備え、前記簀の子は、前記別の簀の子の前記上面板部、前記右側端部及び前記左側端部に囲まれた空間内に挿入可能であることを特徴とする動物用処置台である。
【００１３】
請求項５に記載の発明は、請求項３又は請求項４に記載の発明において、前記簀の子及び前記別の簀の子は、これらの一方又は両方に、他方に係止可能なフックが設けられていることを特徴とする動物用処置台である。
【００１４】
請求項６に記載の発明は、請求項１から請求項５のいずれか一項に記載の発明において、前記簀の子と蝶番を介して互いに接続され、かつ、水平に配置された別の簀の子をさらに備えたことを特徴とする動物用処置台である。
【００１５】
請求項７に記載の発明は、請求項１から請求項６のいずれか一項に記載の発明において、さらに、前記キャビネットの前記側板に固定された支柱と、前記支柱に回転可能に支持された水平アームと、前記水平アームに回転可能に支持された器具台とを備えていることを特徴とする動物用処置台である。
【発明の効果】
【００１６】
請求項１に記載の発明によれば、シンクの開口部を囲む縁材のうち、少なくともキャビネットの長手方向に沿った部分の上面を開口部に向かって下り勾配としたので、下り勾配とした縁にかかった水や薬剤はシンク内へ確実に流れ落ちる。シンクの縁は一般的に４〜６ｃｍの幅を持っているので、下り勾配とした縁の幅だけシンクの大きさを大きくしたのと同じ作用効果が得られる。また、簀の子は、前記縁材の前記キャビネットの長手方向と直交する方向に沿った部分を越えて水平に突出するように配置可能になされているので、シンクの縁を越えて突出しているところにも、動物の体の一部、例えば尾が位置するようにすれば、キャビネットを長手方向に対して１００ｃｍとしても実質的に１２０ｃｍのシンクとして使用することが可能となる。以上の構成により、キャビネットの大きさを、例えば長手方向に対して２０ｃｍ、長手方向と直交する方向に１０ｃｍ短くし、これに応じてシンクを小さくしても処置台としての作用効果を減殺することがなく、大型犬の処置なども全く問題なく行うことができる。同時に、動物用処置台を小さくすることによって、必要最小限度の広さの処置室に設置した場合においても、獣医師等が簀の子の角に衣服を引っ掛けることなどが低減され、スムーズに処置等を行うことができる。
【００１７】
請求項２に記載の発明によれば、簀の子と別の簀の子とのいずれか一方又は両方がシンクの係止部に係止されるので、処置中の動物が万一暴れても、簀の子が跳ね上がって動物又は獣医師がけがをすることを防止できる。
【００１８】
請求項３に記載の発明によれば、また、簀の子をシンクの縁を越えて突出するように配置しているときに、別の簀の子が簀の子の一部を覆うようにできるので、動物の脚部が２つの簀の子に落ち込むことがない。
【００１９】
請求項４に記載の発明によれば、簀の子を別の簀の子に挿入可能な入れ子式にすることによって、簀の子をシンクの縁を越えて突出する構成にすることが簡単に実現できる。
【００２０】
請求項５に記載の発明によれば、簀の子及び別の簀の子は、これらの一方又は両方に、他方に係止可能なフックが形成されているので、簀の子がシンクの縁を越えて突出した状態に配置されているときに、動物が暴れて簀の子が跳ね上がったり落下したりすることを確実に防止できる。
【００２１】
請求項６に記載の発明によれば、簀の子を別の簀の子に対して回転させて展開すれば、直ちに第１の簀の子がシンクの縁を越えて突出した状態に配置することが可能になる。
【００２２】
請求項７に記載の発明によれば、キャビネットの側板によって間接的に支持された器具台とを備えているので、シンクの縁材に処置に必要となる器具や洗浄剤などを置くスペースを設ける必要がなく、シンクの開口部をさらに大きくすることが可能になる。
【図面の簡単な説明】
【００２３】
【図１】第１の実施の形態に係る動物用処置台において、簀の子を後退させた状態示す図であり、（ａ）は平面図、（ｂ）は正面図である。
【図２】第１の実施の形態に係る動物用処置台において、簀の子を突出させた状態示す図であり、（ａ）は平面図、（ｂ）は正面図である。
【図３】第１の実施の形態に係る動物用処置台の使用状態を示す図であり、（ａ）は第２簀の子を移動した状態を示す平面図、（ｂ）は第２簀の子を吊り下げた状態を示す正面図である。
【図４】キャビネット及びシンクを示す図（１）であり、（ａ）は平面図、（ｂ）は正面図である。
【図５】キャビネット及びシンクを示す図（２）であり、（ａ）は右側面図、（ｂ）はシンクを一部破断した右側面図である。
【図６】第１簀の子を示す図であり、（ａ）は平面図、（ｂ）は正面図、（ｃ）は背面図である。
【図７】第２簀の子を示す図であり、（ａ）は平面図、（ｂ）は正面図、（ｃ）は右側面図である
【図８】キャビネット及びシンクの変形例を示す図であり、（ａ）は平面図、（ｂ）は正面図である。
【図９】第２の実施の形態に係る動物用処置台において、簀の子を突出させた状態示す斜視図である。
【図１０】第２の実施の形態に係る動物用処置台において、簀の子を後退させた状態示す斜視図である。
【図１１】第２の実施の形態に係る動物用処置台において、簀の子を突出させ、かつ、シンクを開口させた状態示す斜視図である。
【図１２】第３の実施の形態に係る動物用処置台において、簀の子を突出させた状態示す斜視図である。
【図１３】第３の実施の形態に係る動物用処置台において、簀の子を折り畳んだ状態示す斜視図である。
【図１４】第４の実施の形態に係る動物用処置台において、簀の子を突出させた状態示す図であり、（ａ）は全体斜視図、（ｂ）は係止部の拡大断面図である。
【図１５】第５の実施の形態に係る動物用処置台において、簀の子を後退させた状態示す斜視図である。
【図１６】従来技術に係る動物用処置台の一例を示す斜視図である。
【発明を実施するための形態】
【００２４】
以下に、本発明の第１の実施の形態に係る動物用処置台を図面に基づいて説明する。最初に、キャビネット及びシンクについて説明する。図４は、キャビネット及びシンクを示す図（１）であり、（ａ）は平面図、（ｂ）は正面図である。図４において、２０はキャビネット、２１は側板、２２は配管スペース、２３は台輪、２４は収納スペース、３０はシンク、３１は凹陥領域、３２は底面部、３３は縁材、３４ａ、３４ｂ、３４ｃ及び３４ｄは傾斜面、３５はトッププレート、３６は囲み板、３７は排水トラップ、４０は混合水栓、４１は水栓レバー、４２ａ、４２ｂ、４２ｃ及び４２ｄは係止部である。また、図５は、キャビネット及びシンクを示す図（２）であり、（ａ）は右側面図、（ｂ）はシンクを一部破断した右側面図である。図５において、２６は側板、３８は側面部であり、その他の符号は図４と同じものを示す。
【００２５】
この実施の形態に係る動物用処置台におけるキャビネット２０は、長手方向の長さを１００ｃｍ、長手方向と直交する方向、つまり幅を５８ｃｍとしている。従来技術におけるキャビネットでは、長手方向の長さを１２０ｃｍ又はこれ以上の長さとしており、キャビネット２０は長手方向において２０ｃｍ又はそれ以上に短くなっている。したがって、従来技術に係る動物用処置台を設置するのに適していない狭いスペースに設置することが可能である。また、キャビネット２０の上面側、つまり側板２１の背後にはシンク３０を設けており、シンク３０の下方は吹き抜け状の収納スペース２４と、排水トラップ３７等を設けるための配管スペース２２としている。収納スペース２４は、扉を設けずに開放スペースとしたので、医療廃棄物用容器を置いておき、処置中に生じた廃棄物を即座に投入することができる。したがって、動物用処置台の周辺に医療廃棄物用容器を置いたときに、獣医師が医療廃棄物用容器につまずいたり、移動中のストレッチャーと衝突したりすることを防止できる。また、医療廃棄物用容器内の血液や汚物が付着したガーゼなどが人目に付きにくくなるので、処置室内の美観を向上することもできる。なお、キャビネット２０の大きさは上述のものに限られるものではない。
【００２６】
また、キャビネット２０は、図５（ａ）に示した側板２６が処置室の壁面に接するように、又は、接近するように設置することを前提とした構成となっているが、処置室の中央に設置することも可能である。さらに、台輪２３は、図５に示すように、キャビネット２０の長手方向に沿った側面を床面側に近づくにしたがって互いの幅が漸次狭くなるように、つまり、キャビネット２０の長手方向に沿った２つの側面がオーバーハングしている傾斜面となるように形成されている。これは、台輪２３の床面に対する設置面積を小さくすることによって、例えば獣医師が処置中に脚を拡げて踏ん張りやすくなるなど、動物用処置台の使用を容易にすることを目的としている。
【００２７】
シンク３０は、凹陥領域３１の開口部を囲むように縁材３３が設けられている。凹陥領域３１の開口部と縁材３３は、矩形の小さなトッププレート３５を除いてキャビネット２０の上面側を占めているので、キャビネット２０の上面側のほとんどの領域がシンクとして利用できる。縁材３３の上面は、傾斜面３４ａ、３４ｂ、３４ｃ及び３４ｄの４つの傾斜面で構成されている。すなわち、図５（ｂ）に示すように、傾斜面３４ｃ及び３４ｄは凹陥領域３１に向かってそれぞれ下り勾配となるように形成されており、ここで図示していない傾斜面３４ａ及び３４ｂも同様の下り勾配を持っている。したがって、縁材３３の上面に落下した水は凹陥領域３１に向かって流れ落ちるので、縁材３３の上面も凹陥領域３１の一部として機能する。また、縁材３３の上面は、後述するように、簀の子を載置し、さらに摺動させるための面となる。この上面を、それぞれ傾斜面３４ａ、３４ｂ、３４ｃ及び３４ｄとしているので、簀の子と接するのは傾斜面３４ａ、３４ｂ、３４ｃ及び３４ｄの外側の縁辺部分だけとなる。したがって、縁材３３の上面と簀の子との摩擦抵抗を低減でき、かつ、金属同士が摩擦するときに生じる不快音を低減することができる。なお、縁材３３の上面のうち、シンク３０の使用時に水がかかりやすいのは、キャビネット２０の長辺方向に沿った部分、つまり傾斜面３４ａ及び３４ｃなので、この部分のみを傾斜面としてもよい。
【００２８】
シンク３０の凹陥領域３１は、キャビネット２０の長手方向の長さを１００ｃｍとした分に対応して短くなる。なお、凹陥領域３１の底面部３２及び側面部３８は、従来技術に係るものと同様の構成である。また、キャビネット２０の上面のうち、長手方向と直交する側の一部をトッププレート３５としている。トッププレート３５は、キャビネット２０の長手方向の長さを１０ｃｍとした金属板であり、処置室の壁面に接する側板２６側に混合水栓４０及び水栓レバー４１の配置スペースを確保するとともに、洗浄剤や消毒用エタノールの容器などを置くためのスペースとなる。トッププレート３５の３方向の縁辺部を囲む囲み板３６は、洗浄剤などの容器の転落を防ぐために設けている。なお、後述するように、処置室の壁面に混合水栓４０及び水栓レバー４１を設ける場合などにはトッププレート３５を省略してもよく、また、トッププレート３５に相当するものを凹陥領域３１の内部に設けてもよい。さらに、縁材３３の外周面のキャビネット２０の長手側となる部分には、係止部４２ａ、４２ｂ、４２ｃ及び４２ｄが設けられている。係止部４２ａ、４２ｂ、４２ｃ及び４２ｄは、後述するように、簀の子を係止する役割を持つと共に、処置用器具などを一時的に係止するための役割を持つ。くわえて、係止部４２ａ及び４２ｄは、後述するように、使用していない簀の子を吊下状態で保持する役割も併せ持っている。なお、この実施の形態における係止部４２ａ、４２ｂ、４２ｃ及び４２ｄでは、両端部が縁材３３に接続されるように形成しているが、簀の子及び処置用器具を係止可能であれば、例えば略Ｔ字状の外形に形成する、又は、略Ｌ字状の外形に形成する、略Ｉ型の外形に形成するなど他の形状にしてもよい。さらに、係止部４２ａ、４２ｂ、４２ｃ及び４２ｄを設けずに、これらの係止部に相当するものを側面部３８に設けてもよい。
【００２９】
続けて、簀の子について説明する。図６は、第１簀の子を示す図であり、（ａ）は平面図、（ｂ）は正面図、（ｃ）は背面図である。図６において、５０は第１簀の子、５１ａ及び５１ｂは枠材、５２ａ、５２ｂ、５２ｃ及び５２ｄは係止材である。また、図７は、第２簀の子を示す図であり、（ａ）は平面図、（ｂ）は正面図、（ｃ）は右側面図である。図７において、５３は第２簀の子、５３ａ及び５３ｂは規制部である。
【００３０】
この実施の形態に係る動物用処置台における第１簀の子５０は、主として動物を載置するためのものであり、略長方形板状の外形を有している。また、枠材５１ａと枠材５１ｂとは、シンク３０の縁材３３上に載置したときに、キャビネット２０の長手方向と平行になる枠材であり、これらの間隔はキャビネット２０の幅よりも若干大きくなるように形成されている。したがって、枠材５１ａと枠材５１ｂとは、縁材３３上に載置したときに、傾斜面３４ａと傾斜面３４ｃとの外側の縁辺部分に接する。また、シンク３０の縁材３３上に載置したときには、シンク３０から水平に突出して縁材３３からはみだすように配置したときと、シンク３０の縁材３３上にほぼ収まるように配置したときにも水平状態を保つように形成して、円筒状のものを置いたときに転がり落ちることがないようしている。さらに、枠材５１ａと枠材５１ｂとの下側には、係止材５２ａ及び５２ｃと係止材５２ｂ及び５２ｄとがそれぞれ設けられている。係止材５２ａは縁材３３の外周面の係止部４２ａに対応する位置に設けられており、同様に、係止材５２ｂは係止部４２ｄ、係止材５２ｃは係止部４２ｂ、係止材５２ｄは係止部４２ｃに対応する位置にそれぞれ設けられている。また、これらの係止材は、正面側から見てそれぞれ逆Ｌ字状に形成されているが、係止材５２ａ及び５２ｂは係止材５２ｃ及び５２ｄよりも水平部分が短くなるようにしてある。これは、後述するように、第１簀の子５０をシンク３０に対して装着した際に、係止材５２ａ及び５２ｂの先端部がキャビネット２０から突出して、獣医師の着衣などに引っ掛かることを防止するためになされたものである。さらに、これらの係止材の先端側は枠材５１ａ及び５１ｂと平行に延びており、これらの係止部と枠材５１ａ及び５１ｂとの間隙はさらに縁材３３の４つの係止部の径よりも多少大きいものとしている。これは、第１簀の子５０に動物を載せているときに、第１簀の子５０ががたつくことを低減するためである。
【００３１】
第２簀の子５３は、主として洗浄剤や消毒用エタノールの容器などを一時的に載置するためのものであり、略長方形板状の外形を有している。また、第１簀の子５０と第２簀の子５３との長さの計は、キャビネット２０の長手方向に対して１２０ｃｍである。キャビネット２０の囲み板３６を設けた部分以外の長手方向の長さは９０ｃｍであるので、これらの簀の子を縁材３３に置くと、両者が２、３ｃｍほど重なり合うようにおいても、キャビネット２０の長手方向に対して２５ｃｍ強突出するようにはみだすことになる。また、第２簀の子５３を縁材３３上に載置したときには、第１簀の子５０の配置に関係なく、常に水平状態を保って、容器などが倒れないように形成している。なお、第２簀の子５３は、キャビネット２０の長手方向と直交する方向が長辺側となるので、長辺の方向が異なる配置となっている。さらに、第２簀の子５３の短辺となる側には、規制部５３ａと規制部５３ｂとがそれぞれ形成されている。規制部５３ａと規制部５３ｂとの間隔は、これらの間に枠材５１ａ及び枠材５１ｂを挿入できるように設定されている。さらに、縁材３３に跨るように置くことも可能である。前述のように、第１簀の子５０は縁材３３に係止可能であるので、第１簀の子５０及び第２簀の子５３を縁材３３上に載置して使用しているときに、処置している動物が暴れてもこれらの簀の子が床に落下することを防止できる。
【００３２】
次に、この実施の形態に係る動物用処置台の全体構成と使用方法について説明する。図１は、第１の実施の形態に係る動物用処置台において、簀の子を後退させた状態示す図であり、（ａ）は平面図、（ｂ）は正面図である。図１において、１０は動物用処置台であり、その他の符号は図４、図６及び図７と同じものを示す。また、図２は、第１の実施の形態に係る動物用処置台において、簀の子を突出させた状態示す図であり、（ａ）は平面図、（ｂ）は正面図である。図２において用いた符号は、すべて図１と同じものを示す。さらに、図３は、第１の実施の形態に係る動物用処置台の使用状態を示す図であり、（ａ）は第２簀の子を移動した状態を示す平面図、（ｂ）は第２簀の子を吊り下げた状態を示す正面図である。図３において用いた符号は、すべて図１と同じものを示す。
【００３３】
動物用処置台１０は、図１に示すように、第１簀の子５０及び第２簀の子５３をシンク３０の縁材３３上に載置したときに、シンク３０の開口部を完全に覆うように構成されている。前述のように、第１簀の子５０と第２簀の子５３とをそのまま並べて載置すると、第１簀の子５０がキャビネット２０の長手方向に対して２５ｃｍ強はみだすことになる。そこで、図１では、第１簀の子５０の一部を第２簀の子５３が覆うように部分的に重なった状態で載置して、両者合わせて９０ｃｍほどの長さとなる状態にしている。また、係止材５２ａは、係止部４２ａに囲まれた空間内に入っているが、係止部４２ａに対して係止されてはいない。同様に、係止材５２ｂは係止部４２ｄ、係止材５２ｃは係止部４２ｂ、係止材５２ｄは係止部４２ｃに囲まれた空間内に入っている。この状態においても、第１簀の子５０、又は、第１簀の子５０と第２簀の子５３とに猫などの比較的小型の動物を載置して処置を行うことが可能である。なお、第１簀の子５０及び第２簀の子５３を離脱させる場合には、図１に示す状態において、第２簀の子５３、第１簀の子５０の順序で持ち上げれば良い。
【００３４】
また、大型犬など、２つの簀の子を合わせた９０ｃｍほどの長さで不足する場合には、図１の矢印に示す方向、つまり、処置室の壁面に接する側とは反対側となる傾斜面３４ｄに向かって第１簀の子５０を摺動させる。第１簀の子５０を摺動させると、図２に示すように、係止材５２ａは、係止部４２ａの傾斜面３４ｄ側の部分に当接し、係止材５２ａが係止部４２ａに係止された状態となり、キャビネット２０の長手方向に対して２５ｃｍ程度突出するようにはみだす。同様に、係止材５２ｂは係止部４２ｄ、係止材５２ｃは係止部４２ｂ、係止材５２ｄは係止部４２ｃに対してそれぞれ係止される。また、これらの係止部と枠材５１ａ及び５１ｂとの間隙に縁材３３の４つの係止部が位置しているので、例えば、第１簀の子５０の縁材３３からはみだした部分に手を突いたり、しゃがんだ状態から立ち上がるときに当該部分に頭をぶつけたりしたときにも、第１簀の子５０が傾いて床面に落下する、又は、シンク３０の凹陥領域３１内に落ちることを防止できる。さらに、第１簀の子５０は、縁材３３の傾斜面３４ｄ側を越えて水平に２５ｃｍ強突出し、かつ、第２簀の子５３とは接した状態となるので、第１簀の子５０の水平に突出した領域に大型犬などの尾や後肢の先端が位置するように載置すれば、第１簀の子５０上で胴体の洗浄などを行っても、洗浄に使った水がシンク３０の凹陥領域３１に流れ落ちるので、床面を濡らすことがない。なお、係止材５２ａ及び５２ｃは、水平部分の長さを係止材５２ｂ及び５２ｄよりも短くして、図２（ｂ）に示すように、キャビネット２０の側方に突出しないようにしている。なお、第１簀の子５０を重量が大きい材料で形成して、処置中の大型犬などが暴れても跳ね上がりにくい場合には、４組の係止材及び係止部のうち１組又は２組を省略してもよい。
【００３５】
くわえて、図３（ａ）に示すように、第１簀の子５０をシンク３０から水平に突出して縁材３３からはみだすように配置しているときに、第２簀の子５３を第１簀の子５０側に摺動させると、シンク３０の凹陥領域３１の一部が開放された状態となる。したがって、処置の前後や処置中に第２簀の子５３を摺動させて、混合水栓４０を使用して手や器具の洗浄を迅速に行うことができる。また、係止部４２ａ及び４２ｄの傾斜面３４ｄ側の端部は、縁材３３の角部の近傍に位置している。したがって、図３（ｂ）に示すように、第１簀の子５０を使用していないときには、第１簀の子５０を垂直状態に保持にしつつ、係止部４２ａに係止材５２ｃを係止し、係止部４２ｄに係止材５２ｄを係止すると、第１簀の子５０を吊下状態で保持することができる。したがって、凹陥領域３１内で第１簀の子５０を洗浄した後や、凹陥領域３１内で動物を薬浴させるときなどに、第１簀の子５０をこのように吊り下げておけば、床面に置いたときのように第１簀の子５０に躓いてけがをすることを防止できる。
【００３６】
以上のように、本発明の第１の実施の形態に係る動物用処置台１０は、キャビネット２０の長手方向に対して、第１簀の子５０と第２簀の子５３との長さの計を１２０ｃｍとし、キャビネット２０からはみだすように配置できるので、キャビネット２０の同方向の長さを１００ｃｍとしても、大型犬などに対する処置を行うことができる。また、第１簀の子５０を縁材３３の傾斜面３４ｄ側を越えて水平に突出させたときには、第１簀の子５０の係止材５２ａなど４つの係止材を、縁材３３に設けた係止部４２ａなど４つの係止部にそれぞれ係止され、かつ、係止された状態において、第１簀の子５０の一部を第２簀の子５３が覆った状態となるので、処置中の動物が暴れても第１簀の子５０が跳ね返って獣医師や動物がけがをすることがない。また、第１簀の子５０と第２簀の子５３との間に間隙を生じることがないので、処置中の動物の前肢が間隙に嵌まり込んだり、処置用器具をシンク３０の凹陥領域３１内に落としたりすることがない。さらに、縁材３３の上面を凹陥領域３１に向かって下り勾配となる傾斜面３４ａ、３４ｂ、３４ｃ及び３４ｄで構成したので、実質的に縁材３３の上面も凹陥領域３１として作用する。したがって、縁材３３の上面の幅の分だけ凹陥領域３１を大きくしたとの同じ効果が得られる。また、第１簀の子５０を突出させているときには、第２簀の子５３を摺動させてシンク３０を使用することもできる。くわえて、第１簀の子５０との接触面積が減少するので、縁材３３の上面と第１簀の子５０との摩擦抵抗を低減でき、かつ、金属同士が摩擦するときに生じる不快音を低減することができる。また、第１簀の子５０をキャビネット２０側に後退させた状態で使用することもできる。さらに、収納スペース２４に医療廃棄物用容器を置くことによって、動物用処置台の周辺に医療廃棄物用容器を置いたときに、獣医師が医療廃棄物用容器につまずいたり、移動中のストレッチャーと衝突したりすることを防止できる。同時に、血液や汚物が付着した脱脂綿やガーゼなどが人目に付きにくく、処置室内の視覚的環境が良くなるという利点もある。また、第１簀の子５０を使用していないときには吊下状態で保持することができるので、第１簀の子５０を置く場所を別途用意する必要がない。
【００３７】
さらに、キャビネットの変形例について説明する。図８は、キャビネット及びシンクの変形例を示す図であり、（ａ）は平面図、（ｂ）は正面図である。図８において、２７ａ及び２７ｂは引違戸、３９は段差部である。
【００３８】
図５で示したキャビネット２０はあくまでも一例であり、様々な変形例が考えられる。例えば、図８に示すように、キャビネット２０の下側に開放されたスペースを設けず、引違戸２７ａ及び２７ｂを設ける。さらに、図示しないが、背面側にも同様の引違戸を設けて、処置器具等の収納スペースと配管スペースを兼ねたものとする。このように構成したキャビネットは、医療廃棄物用容器を置くことには適さないが、処置室内に処置器具等の収納するための別のキャビネットを設置することができない場合に好適と言える。また、シンクについては、図８（ａ）のシンク３０に示すように、トッププレート３５を設けず、シンク３０の開口側を開口部とこれを囲む縁材３３だけとする。そして、凹陥領域３１の側面部３８のうち、処置室の壁面に接する側に、下側が階段状にせり出した段差部３９を形成する。そして、段差部３９の平坦面に混合水栓４０及び水栓レバー４１を設ける。このように構成したキャビネットは、図８（ｂ）に示すように、縁材３３よりも上方に突出するものが存在しないので、シンクとして使える領域がさらに広くなる。くわえて、縁材３３の上面が形成しているので、キャビネット２０の長手方向の長さが１００ｃｍしかない場合でも、長手方向の長さが１２０ｃｍである従来技術に係るキャビネット及びシンクよりも機能的には大きなものとなる。
【００３９】
次に、本発明の第２の実施の形態に係る動物用処置台について説明する。図９は、第２の実施の形態に係る動物用処置台において、簀の子を突出させた状態示す斜視図である。図９において、１１は動物用処置台、２５は側板、２８ａ及び２８ｂは支柱、２９は側板、４３は帯状係止板、４４は混合水栓、４５は水栓レバー、５４は簀の子集合体、５５は第１簀の子、５５ａは規制部、５５ａａは折曲部、５５ｂは規制部、５５ｂａは折曲部、５６は第２簀の子、５６ｂは規制部、５７は第３簀の子、５７ｂは規制部、５８は取っ手であり、その他の符号は図１と同じものを示す。また、図１０は、第２の実施の形態に係る動物用処置台において、簀の子を後退させた状態示す斜視図である。図１０において、用いた符号はすべて図９と同じものを示す。さらに、図１１は、第２の実施の形態に係る動物用処置台において、簀の子を突出させ、かつ、シンクを開口させた状態示す斜視図である。図１１において、５９は突出領域であり、その他の符号は図９と同じものを示す。
【００４０】
本発明の第２の実施の形態に係る動物用処置台１１は、図９に示すように、分離可能な第１簀の子５５、第２簀の子５６及び第３簀の子５７で構成される簀の子集合体５４を伸縮させて使用するものである。すなわち、第１簀の子５５のキャビネット２０の長手方向に沿った２つの縁辺部に垂下するように延びる規制部５５ａと規制部５５ｂを形成し、さらにこれらの下端部に互いに対向するように水平に延びる折曲部５５ａａは、折曲部５５ｂａとを形成している。第２簀の子５６と第３簀の子５７との縁辺部にも、規制部５６ｂと規制部５７ｂを形成し、さらにこれらの下端部に折曲部をそれぞれ形成している。したがって、第１簀の子５５の規制部５５ａと規制部５５ｂと折曲部５５ａａ及び５５ｂａとが第２簀の子５６を包み込むように保持しており、第２簀の子５６の規制部及び折曲部も第３簀の子５７包み込むように保持しており、全体として入れ子のような構成を実現している。したがって、簀の子集合体５４は、３枚の簀の子で構成されてはいるが、動物の処置中は全体で１枚の簀の子として機能するようになされており、３枚分の重量によって簀の子の跳ね上がりや位置ずれを防止できるようにした点に特徴がある。なお、逆に、第１簀の子５５を第２簀の子５６から抜き出し、第２簀の子５６を第３簀の子５７から抜き出すことによって簡単に分離することができるので、これらの簀の子を個別に洗浄することが非常に容易である。また、図示していないが、反対側の縁辺部にも同様の規制部と折曲部をそれぞれ形成している。また、第３簀の子５７の混合水栓４４側に、第３簀の子５７をシンク３０の縁材３３上で摺動させるための取っ手５８を設けている。
【００４１】
このように構成することにより、第１簀の子５５、第２簀の子５６及び第３簀の子５７は、矩形状の筒に近い形状を持つことになる。くわえて、第１簀の子５５、第２簀の子５６及び第３簀の子５７において、キャビネット２０の長手方向に直交する方向の長さと、規制部の垂直方向の長さを、第２簀の子５６を第３簀の子５７に収納し、さらに第２簀の子５６を第１簀の子５５に収納する、つまり、これらの簀の子構成体を入れ子状に収納できるようにしている。さらに、これらの簀の子構成体の規制部は、シンク３０の縁材３３に跨るように配置されているので、簀の子構成体を摺動させてもキャビネット２０の長手方向に直交する方向における位置ずれを生じない。したがって、簀の子集合体５４をシンク３０の縁材３３上に載置し、第１簀の子５５を支柱２８ａ及び２８ｂ側に摺動させれば、図９に示すように、第１簀の子５５をシンク３０の縁材３３を越えて水平に突出させることができる。
【００４２】
また、逆方向に摺動させると、図１０に示すように、縁材３３上にのみ簀の子集合体５４を配置することができる。また、図１１に示すように、第１簀の子５５がシンク３０の縁材３３を越えて水平に突出しているときに、取っ手５８を使って第３簀の子５７を支柱２８ａ及び２８ｂ側に摺動させれば、シンク３０の凹陥領域３１が現れる。したがって、第３簀の子５７を図１１に示す状態にすれば、凹陥領域３１内で動物や処置用器具を洗浄することも可能である。くわえて、第１簀の子５５、第２簀の子５６及び第３簀の子５７は、縁材３３上に載置しているときには一体的になっているので、処置している動物が暴れてもこれらの簀の子構成体が跳ね上がることがない。したがって、従来技術に係る簀の子で使用を避けていたアルミ合金などの軽い金属で形成することができ、簀の子集合体５４の洗浄作業などが容易になるという利点もある。
【００４３】
なお、第１簀の子５５、第２簀の子５６及び第３簀の子５７を図１１に示す状態にしているときに、第１簀の子５５に加重が集中すると、支柱２８ａ及び２８ｂ側の縁材３３を支点として、第３簀の子５７の取っ手５８側がテコのように浮き上がり、場合によっては簀の子集合体５４が転落する可能性もあるので、第２簀の子５６及び第３簀の子５７は第１簀の子５５よりも相対的に重い材料で形成することが望ましい。また、第１簀の子５５、第２簀の子５６及び第３簀の子５７の折曲部を水平にさらに長く形成し、縁材３３の下面に接するように形成してもよい。この場合、第１簀の子５５に加重が集中しても、３つの簀の子の折曲部が縁材３３に掛かって第３簀の子５７が浮き上がることを防止できるようになる。さらに、縁材３３の支柱２８ａと２８ｂとのいずれかの近傍に突起を設けておき、規制部５６ｂと規制部５７ｂとのいずれかにこの突起に対応する側に進退可能な突起を設け、縁材３３の突起が規制部５６ｂ又は規制部５７ｂの突起に干渉することによって突出領域５９が所定の範囲を超えないようにしてもよい。
【００４４】
また、この実施の形態に係る動物用処置台１１は、縁材３３に係止部を設けず、支柱２８ａから側板２５を越えて側板２９まで水平に延びる帯状係止板４３を設けている。前述のように、この実施の形態では、簀の子集合体５４自体が落下を防止する構成を備えているので、ワイヤーやチューブなどの処置用器具を係止することを容易にするために、キャビネット２０の長手方向のほぼ全長に渡る帯状係止板４３を設けている。くわえて、この実施の形態におけるシンク３０は、混合水栓４４に対して水栓レバー４５が一体のものを使用して、トッププレート３５に洗浄剤や消毒用エタノールの容器などを置ける面積を拡げている。
【００４５】
次に、本発明の第３の実施の形態に係る動物用処置台について説明する。図１２は、第３の実施の形態に係る動物用処置台において、簀の子を突出させた状態示す斜視図である。図１２において、１２は動物用処置台、６０は簀の子連結体、６１は第３簀の子、６１ｂは規制部、６２は第１簀の子、６２ｂは規制部、６３は第２簀の子、６３ｂは規制部、６４ａ及び６４ｂは蝶番であり、その他の符号は図９と同じである。また、図１３は、第３の実施の形態に係る動物用処置台において、簀の子を折り畳んだ状態示す斜視図である。図１３におおいて用いた符号は、全て図１２と同じものを示す。
【００４６】
本発明の第３の実施の形態に係る動物用処置台１２は、図１２に示すように、簀の子連結体６０と第３簀の子６１とをシンク３０の縁材３３に跨るように配置しているので、簀の子構成体を摺動させてもキャビネット２０の長手方向に直交する方向における位置ずれを生じないようにしている。なお、簀の子連結体６０と第３簀の子６１とは、シンク３０の縁材３３に対して個別に載置又は離脱することができる。また、この実施の形態における特徴的な点として、簀の子連結体６０が第１簀の子６２と第２簀の子６３とを備えており、これらが蝶番６４ａ及び６４ｂによって互いに回転可能に接続されていることが挙げられる。すなわち、図１３に示すように、第２簀の子６３の先端部を跳ね上げるように回転させて、第１簀の子６２上に折り畳んでおくことができる。したがって、簀の子連結体６０を摺動させることなく水平に突出した状態とすることが可能であり、シンク３０に摺動による傷を生じることがないという利点がある。なお、使用後の洗浄を容易にするために、第１簀の子６２を第２簀の子６３から分離可能にすることが望ましい。
【００４７】
さらに、本発明の第４の実施の形態に係る動物用処置台について説明する。図１４は、第４の実施の形態に係る動物用処置台において、簀の子を突出させた状態示す図であり、（ａ）は全体斜視図、（ｂ）は係止部の拡大断面図である。図１４において、１３は動物用処置台、６５ａ及び６５ｂは係止部であり、その他の符号は図９と同じである。
【００４８】
本発明の第４の実施の形態に係る動物用処置台１３は、図１４（ａ）に示すように、第２の実施の形態に係る動物用処置台１１とほぼ同じであるが、第１簀の子５５、第２簀の子５６及び第３簀の子５７のいずれに対しても折曲部を形成していない。これに代えて、図１４（ｂ）に示すように、第１簀の子５５に係止部６５ａ及び６５ｂを設け、第２簀の子５６の透孔に係止させている。したがって、第１簀の子５５の位置は、第２簀の子５６の透孔に対して係止部６５ａ及び６５ｂを係止可能なところに限られるが、第１簀の子５５の落下を確実に防止できる。なお、係止部６５ａ及び６５ｂとは逆に上方に突出する係止部を第２簀の子５６に形成し。第１簀の子５５の透孔に係止させてもよいし、両者に形成してもよい。
【００４９】
次に、本発明の第５及の実施の形態に係る動物用処置台について説明する。図１５は、第５の実施の形態に係る動物用処置台において、簀の子を後退させた状態示す斜視図である。図１５において、１４は動物用処置台、４６は支持材、４６ａは固定レバー、４７は支柱、４８は支持アーム、４９は円形トレイ、６６は簀の子集合体、６７は第１簀の子、６７ｂは規制部、６８は第２簀の子、６８ｂは規制部、６９は第３簀の子、６９ｂは規制部であり、その他の符号は図９と同じである。
【００５０】
本発明の第５の実施の形態に係る動物用処置台１４は、図８（ａ）で示したシンク３０のように、トッププレート３５を設けず縁材３３よりも上方に突出するものが存在しないシンクとする場合に好適なものである。すなわち、側板２９に支持材４６を設け、さらに支持材４６に支柱４７を上下方向に移動可能に設ける。なお、支柱４７は、固定レバー４６ａを緩める又は締め付けることによって移動可能とする、又は、固定する。支柱４７は、水平に延在する支持アーム４８を上端部において回転可能に支持している。くわえて、支持アーム４８は、円形トレイ４９を先端部において回転可能に支持している。なお、第１簀の子６７、第２簀の子６８及び第３簀の子６９は、本発明の第２の実施の形態に係る動物用処置台１１と同様に、入れ子状の簀の子集合体６６を構成しているが、規制部６７ｂ、６８ｂ及び６９ｂの下端部には折曲部を形成していない。さらに、第１簀の子６７、第２簀の子６８及び第３簀の子６９の反対側の縁辺部にも規制部を形成しているが、こちらの下端部にも折曲部を形成していないので、第１簀の子６７を上方に持ち上げればそのまま抜き取ることができる。第２簀の子６８及び第３簀の子６９も同様である。このように構成したことにとって、処置用器具などを円形トレイ４９に載置させることができ、図１や図９で示したトッププレート３５を設ける必要がない。また、支柱４７の高さを調節できる上に支柱４７と支持アーム４８とに回転軸を備えているので、円形トレイ４９の位置を自在に調整することができる。なお、円形トレイ４９に代えて、正方形、長方形、六角形などの各種形状のトレイを用いること可能であるが、円形であれば、トレイの角が獣医師の白衣の袖などに掛かって処置を妨げることがないので、円形とすることが望ましい。
【００５１】
以上のように、本発明の各実施の形態においては、キャビネットが長手方向に対して１００ｃｍとしても、従来技術に係る１２０ｃｍ又はそれ以上の長さのキャビネットと同様の機能を発揮する。また、簀の子の一部をシンクの縁材から突出するように配置できるので、大型犬など比較的大型の動物に対する処置を行うことができる。また、シンクの縁材に掛かった水などがシンク内に落ちるので、キャビネットの周囲の床が濡れるのを低減することが可能となる。さらに、簀の子の載置及び離脱が容易である。また、簀の子の摺動が容易である上に金属同士が摩擦するときの不快な音を生じにくい。さらに、円形トレイを設けることもできるので、処置の効率化を図ることも可能である。
【００５２】
なお、本発明は以上に説明した内容に限定されるものではなく、例えば、簀の子をグレーチング状ではなく格子状にする又は微細な貫通孔を多数形成したものにする、シンクの側面部の全周に渡って段差部を設けてここに簀の子を載置する、第２簀の子又は第３簀の子を適宜変更してもよい。さらに、複数の実施の形態の構成を組み合わせることなどについては、各請求項に記載した範囲を逸脱しない限りにおいて種々の変形を加えることが可能である。
【符号の説明】
【００５３】
１０      動物用処置台
１１      動物用処置台
１２      動物用処置台
１３      動物用処置台
１４      動物用処置台
２０      キャビネット
２１      側板
２２      配管スペース
２３      台輪
２４      収納スペース
２５      側板
２６      側板
２７ａ    引違戸
２７ｂ    引違戸
２８ａ    支柱
２８ｂ    支柱
２９      側板
３０      シンク
３１      凹陥領域
３２      底面部
３３      縁材
３４ａ    傾斜面
３４ｂ    傾斜面
３４ｃ    傾斜面
３４ｄ    傾斜面
３５      トッププレート
３６      囲み板
３７      排水トラップ
３８      側面部
３９      段差部
４０      混合水栓
４１      水栓レバー
４２ａ    係止部
４２ｂ    係止部
４２ｃ    係止部
４２ｄ    係止部
４３      帯状係止板
４４      混合水栓
４５      水栓レバー
４６      支持材
４６ａ    固定レバー
４７      支柱
４８      支持アーム
４９      円形トレイ
５０      第１簀の子
５１ａ    枠材
５１ｂ    枠材
５２ａ    係止材
５２ｂ    係止材
５２ｃ    係止材
５２ｄ    係止材
５３      第２簀の子
５３ａ    係止材
５３ｂ    係止材
５４      簀の子集合体
５５      第１簀の子
５５ａ    規制部
５５ａａ  折曲部
５５ｂ    規制部
５５ｂａ  折曲部
５６      第２簀の子
５６ｂ    規制部
５７      第３簀の子
５７ｂ    規制部
５８      取っ手
５９      突出領域
６０      簀の子連結体
６１      第３簀の子
６１ｂ    規制部
６２      第１簀の子
６２ｂ    規制部
６３      第２簀の子
６３ｂ    規制部
６４ａ    蝶番
６４ｂ    蝶番
６５ａ    係止部
６５ｂ    係止部
６６      簀の子集合体
６７      第１簀の子
６７ｂ    規制部
６８      第２簀の子
６８ｂ    規制部
６９      第３簀の子
６９ｂ    規制部
７０      動物用処置台
７１      シンク
７２      縁材
７３      キャビネット
７４      第２簀の子
７５      第１簀の子
７６      第１簀の子
【図１】
2013055894.tif 000003
【図２】
2013055894.tif 000004
【図３】
2013055894.tif 000005
【図４】
2013055894.tif 000006
【図５】
2013055894.tif 000007
【図６】
2013055894.tif 000008
【図７】
2013055894.tif 000009
【図８】
2013055894.tif 000010
【図９】
2013055894.tif 000011
【図１０】
2013055894.tif 000012
【図１１】
2013055894.tif 000013
【図１２】
2013055894.tif 000014
【図１３】
2013055894.tif 000015
【図１４】
2013055894.tif 000016
【図１５】
2013055894.tif 000017
【図１６】
2013055894.tif 000018